(57)【特許請求の範囲】
【請求項１】
釣り糸が挿通する内部経路を有するとともに前記内部経路に連通する開口を外周面に有する竿体に装着され、リールからの釣り糸を前記内部経路に案内するための中通し竿用糸導入ガイドであって、
両端に形成され、前記開口を挟んで前記竿体外周面に固定される前後の固定部と、
前記リールからの釣り糸が挿通可能なガイド孔を有し釣り糸を前記内部経路に案内するためのガイド部と、前記ガイド孔を挿通した釣り糸が挿通可能な糸導入部を有し前記竿体の開口を通して竿体内部にその少なくとも一部が挿入される挿入部とを有し、前記前後の固定部を連結する連結部と、
を備え、
前記連結部は前記前後の固定部と一体で形成された金属製の板状部材であり、前記ガイド部は前記後固定部の前端側を前記竿体から離れる方向に折り曲げて形成されており、
前記挿入部は、前記ガイド部の前端側を竿体側に折り曲げ、さらに竿体の軸方向に沿って前方側に延びるように折り曲げられ、前記前固定部に連続しており、
前記挿入部の糸導入部は、前記竿体の軸方向に沿って延びる長孔であり、前記長孔の縁部には、前記竿体内部側に折り曲げられて形成され、竿体の軸方向と交差する方向の位置決めを行うための幅方向位置決め部を有している、
中通し竿用糸導入ガイド。
【請求項２】
釣り糸が挿通する内部経路を有するとともに前記内部経路に連通する開口を外周面に有する竿体に装着され、リールからの釣り糸を前記内部経路に案内するための中通し竿用糸導入ガイドであって、
両端に形成され、前記開口を挟んで前記竿体外周面に固定される前後の固定部と、
前記リールからの釣り糸が挿通可能なガイド孔を有し釣り糸を前記内部経路に案内するためのガイド部と、前記ガイド孔を挿通した釣り糸が挿通可能な糸導入部を有し前記竿体の開口を通して竿体内部にその少なくとも一部が挿入される挿入部とを有し、前記前後の固定部を連結する連結部と、
を備え、
前記連結部は前記前後の固定部と一体で形成された金属製の板状部材であり、前記ガイド部は前記後固定部の前端側を前記竿体から離れる方向に折り曲げて形成されており、
前記挿入部は、前記ガイド部の前端側を竿体側に折り曲げ、さらに竿体の軸方向に沿って前方側に延びるように折り曲げられ、前記前固定部に連続しており、
前記挿入部の糸導入部は、前記竿体の軸方向に沿って延びる長孔であり、前記長孔の縁部には、前記竿体内部側に折り曲げられて形成され、竿体の軸方向の位置決めを行うための軸方向位置決め部を有している、
中通し竿用糸導入ガイド。
【請求項３】
前記後固定部の前記連結部側の端部は、前記挿入部の幅と実質的に同じ幅であり、前記端部の幅方向中央部には切欠きが形成されている、請求項１または２に記載の中通し竿用糸導入ガイド。
【請求項４】
前記挿入部のうちの前記竿体内部に挿入される部分は、幅が実質的に一定である、請求項１から３のいずれかに記載の中通し竿用糸導入ガイド。
【発明の詳細な説明】
【０００１】
【発明の属する技術分野】
本発明は、糸導入ガイド、特に、釣り糸が挿通する内部経路を有するとともに内部経路に連通する開口を外周面に有する竿体に装着され、リールからの釣り糸を内部経路に案内するための中通し竿用糸導入ガイドに関する。
【０００２】
【従来の技術】
中通し竿は、釣り糸が挿通可能な内部経路を竿体内部に有するとともに、穂先側の先端に釣り糸を導出する開口を有し、さらに内部経路と外部とを連通させる糸導入口を手元側に有している。このような中通し竿では、リールからの釣り糸は糸導入口を通して内部経路に導入され、さらに竿体先端側の開口に導かれて外部に導出される。
【０００３】
この種の中通し竿において、糸導入ガイドを板金製にしたものが特開平８−１０７７３９号公報に示されている。ここに示された糸導入ガイドは、竿体の外周面に固定される前後の固定部と、この前後の固定部を連結するアーチ状の連結部を有している。そして、連結部の後部にはリールからの釣り糸を糸導入口に案内するためのガイド部が設けられている。
【０００４】
この糸導入ガイドでは、アーチ状に形成されて前後２カ所で竿に固定されるので強度上安定している。しかも、前後の固定部を連結する連結部にガイド部が形成されているので、竿外周面にリング状のガイドが突出して形成された外通し竿に比較して、ガイド部の折れ曲がり等の変形を抑えることができる。
【０００５】
【発明が解決しようとする課題】
前記のような従来の糸導入ガイドでは、連結部がアーチ状で滑らかに竿体外部に突出しているので、糸ふけが生じてもその釣り糸のガイドへの引っかかりを抑えることができる。しかし、やはりガイドの突出する部分に釣り糸が絡む場合があるので、突出する部分を極力少なくすることが望ましい。
【０００６】
本発明の課題は、竿体外部への突出部を極力少なくして釣り糸の引っかかりを抑えることにある。
【０００７】
【課題を解決するための手段】
発明１に係る中通し竿用糸導入ガイドは、釣り糸が挿通する内部経路を有するとともに内部経路に連通する開口を外周面に有する竿体に装着され、リールからの釣り糸を内部経路に案内するためのガイドであって、前後の固定部と連結部とを有している。前後の固定部は、両端に形成され、開口を挟んで竿体外周面に固定される。連結部は、前後の固定部を連結するものであり、ガイド部と挿入部とを有している。ガイド部はリールからの釣り糸が挿通可能なガイド孔を有し釣り糸を内部経路に案内する。挿入部はガイド孔を挿通した釣り糸が挿通可能な糸導入部を有し竿体の開口を通して竿体内部にその少なくとも一部が挿入される。前記連結部は前記前後の固定部と一体で形成された金属製の板状部材である。そして、前記ガイド部は前記後固定部の前端側を前記竿体から離れる方向に折り曲げて形成されており、前記挿入部は、前記ガイド部の前端側を竿体側に折り曲げ、さらに竿体の軸方向に沿って前方側に延びるように折り曲げられ、前記前固定部に連続している。また、前記挿入部の糸導入部は、前記竿体の軸方向に沿って延びる長孔であり、前記長孔の縁部には、前記竿体内部側に折り曲げられて形成され、竿体の軸方向と交差する方向の位置決めを行うための幅方向位置決め部を有している。
【０００８】
この糸導入ガイドは、前後の固定部が竿体の外周面に固定される。そして、リールからの釣り糸は、連結部のガイド部及び糸導入部を通って竿体内部の内部経路に導かれる。ここでは、連結部の一部が竿体の開口を通して竿体内部に挿入されており、このため竿体外周部における糸導入ガイドの突出部が少なくなる。したがって、糸導入ガイドへの釣り糸の引っかかりを抑えることができる。
【０００９】
また、前後の固定部及び連結部が金属製の板状部材で一体で形成されているので、構造が簡単になるとともに強度が高くなり、しかも凹凸を少なくして釣り糸の引っかかりをより少なくできる。
【００１０】
さらに、竿体内部に挿入された挿入部は幅方向位置決め部を有しており、この幅方向位置決め部により糸導入ガイドの竿体の軸方向と交差する方向の位置決めが行われる。幅方向位置決め部は挿入部の一部を折り曲げて形成しているので、構造が簡単である。
【００１１】
発明２に係る中通し竿用糸導入ガイドは、釣り糸が挿通する内部経路を有するとともに内部経路に連通する開口を外周面に有する竿体に装着され、リールからの釣り糸を内部経路に案内するためのガイドであって、前後の固定部と連結部とを有している。前後の固定部は、両端に形成され、開口を挟んで竿体外周面に固定される。連結部は、前後の固定部を連結するものであり、ガイド部と挿入部とを有している。ガイド部はリールからの釣り糸が挿通可能なガイド孔を有し釣り糸を内部経路に案内する。挿入部はガイド孔を挿通した釣り糸が挿通可能な糸導入部を有し竿体の開口を通して竿体内部にその少なくとも一部が挿入される。前記連結部は前記前後の固定部と一体で形成された金属製の板状部材である。そして、前記ガイド部は前記後固定部の前端側を前記竿体から離れる方向に折り曲げて形成されており、前記挿入部は、前記ガイド部の前端側を竿体側に折り曲げ、さらに竿体の軸方向に沿って前方側に延びるように折り曲げられ、前記前固定部に連続している。また、前記挿入部の糸導入部は、前記竿体の軸方向に沿って延びる長孔であり、前記長孔の縁部には、前記竿体内部側に折り曲げられて形成され、竿体の軸方向の位置決めを行うための軸方向位置決め部を有している。
【００１２】
この糸導入ガイドは、前後の固定部が竿体の外周面に固定される。そして、リールからの釣り糸は、連結部のガイド部及び糸導入部を通って竿体内部の内部経路に導かれる。ここでは、連結部の一部が竿体の開口を通して竿体内部に挿入されており、このため竿体外周部における糸導入ガイドの突出部が少なくなる。したがって、糸導入ガイドへの釣り糸の引っかかりを抑えることができる。
【００１３】
また、前後の固定部及び連結部が金属製の板状部材で一体で形成されているので、構造が簡単になるとともに強度が高くなり、しかも凹凸を少なくして釣り糸の引っかかりをより少なくできる。
【００１４】
さらに、竿体内部に挿入された挿入部は軸方向位置決め部を有しており、この軸方向位置決め部により糸導入ガイドの竿体の軸方向の位置決めが行われる。軸方向位置決め部は挿入部の一部を折り曲げて形成しているので、構造が簡単である。
【００１５】
発明３に係る中通し竿用糸導入ガイドは、発明１または２のいずれかの糸導入ガイドにおいて、前記後固定部の前記連結部側の端部は、前記挿入部の幅と実質的に同じ幅であり、前記端部の幅方向中央部には切欠きが形成されている。
【００１６】
ここでは、固定部の幅が挿入部の幅と同じ程度になるように広く形成されている。したがって、糸導入ガイドを竿体に固定した場合に安定する。また、固定部の幅を広くすると、竿体の円弧状の外周面に沿いにくい。しかし、ここでは固定部の幅方向の中央部に切欠きが形成され、その剛性が低くなっているので、竿体に沿いやすい。
【００１７】
発明４に係る中通し竿用糸導入ガイドは、発明１から３のいずれかの糸導入ガイドにおいて、前記挿入部のうちの前記竿体内部に挿入される部分は、幅が実質的に一定である。
【００１８】
【発明の実施の形態】
図１に示す本発明の一実施形態を採用したルアーフィッシング用の中通し竿は、先細り筒状の元竿１と、元竿１の先端側に並継形式で連結された先細り筒状の穂先竿２とを有している。元竿１の前端部には開口１ａが形成され、この開口１ａの前後の部分には他の部分より厚肉の肉盛り部１ｂが形成されている。この肉盛り部１ｂを形成することで、開口１ａの存在により竿の曲げ強さが低下するのを防止している。この開口１ａから竿体内部に導入された釣り糸Ｌは、竿体の内部経路５を通って穂先竿２の先端開口に装着されたトップガイド６から導出される。元竿１の手元側には前後のグリップＧに挟まれるようにスピニングリール３が装着可能である。また、元竿１の竿先側には、リール３から釣り糸Ｌを開口１ａに案内する糸導入ガイド４が装着されている。
【００１９】
開口１ａが形成された元竿１の内部には、図２に示すように、ガイド筒７が嵌め込まれている。ガイド筒７は、合成樹脂製の円筒部材であり、後端が弾性体製の水止め中栓８により封止されている。ガイド筒７の周面には開口１ａに対向する開口７ａが形成されている。ガイド筒７の前部にはリング装着溝７ｂが形成されており、この溝７ｂにセラミック等からなる硬質リング９ａが装着されている。ガイド筒７の内壁は、リング装着溝７ｂに向かって先細り形状のテーパ面７ｃになっており、釣り糸を竿体内部に通す際に使用する糸通し具３０の先端３０ａが、テーパ面７ｃにより硬質リング９ａに容易に案内されるようになっている。
【００２０】
穂先竿２の後端には尻栓１８が着脱自在に装着されており、尻栓１８の後端には硬質リング９ｂが嵌め込まれている。
【００２１】
図３〜図５に糸導入ガイド４の詳細を示す。なお、図３及び図４は糸導入ガイド４のみを示し、図５は竿体に装着された状態を示している。
【００２２】
これらの図に示されるように、糸導入ガイド４は、プレス加工等の塑性加工法によりステンレス鋼板等の金属板を所定の形状に打ち抜き、折り曲げ加工して得られたものである。糸導入ガイド４は、前端部に形成された舌片状の前固定部１０と、同様に後端部に形成された舌片状の後固定部１１と、前後の固定部１０，１１を連結する連結部１２とを有している。
【００２３】
前後の固定部１０，１１はそれぞれ糸を元竿１に巻き付けることで元竿１に固定されている。また連結部１２は、後固定部１１に連続して形成されたガイド部１５と、このガイド部１５の前方側に連続して形成された挿入部１６とを有している。ガイド部１５は、後固定部１１の前端側から上方に（竿体から離れる側に）折り曲げられ、その一部には貫通孔１５ａが形成されている。そして、この貫通孔１５ａに硬質リング１７が装着されている。また、挿入部１６は、ガイド部１５の前端側を下方に（竿体に近づく側に）折り曲げ、さらに竿体の軸方向に沿って前方に延びるように折り曲げられて形成されている。そして、竿体の軸方向に沿って延びる部分が、図２及び図５に示すように、開口１ａを通って竿体内部に挿入されている。
【００２４】
図４から明らかなように、前後の固定部１０，１１は他の部分に比較して幅が狭くなっている。後固定部１１においては、ガイド部１５側の端部１１ａの幅Ｄは挿入部１６の幅Ｄと等しく、先端側に行くにしたがって狭くなっている。そして、この後固定部１１の端部１１ａには幅方向の中央部に切欠き１１ｂが形成されている。このように、竿体に固定される部分の幅を広くすることにより、後固定部１１を竿体に確実に固定できるとともに、固定後の姿勢が安定する。また、単に幅を広くしただけでは当該部分が竿体の外周面に沿いにくいが、ここでは切欠き１１ｂが形成されているので、剛性が低くなり、竿体外周面に沿いやすい。
【００２５】
また、挿入部１６のうちの竿体内部に挿入される部分は、前後方向にわたって幅が等しくなるように形成されている。そして、挿入部１６の幅方向中央部には前後方向に長い長孔１６ａが形成されており、糸導入部として機能している。糸導入部１６ａは前方側に長く延びているので、この糸導入部１６ａを通して内部経路５の入口（硬質リング９ａ部分）を容易に観察することができる。また、この糸導入部１６ａの縁部の一部には、下方に折り曲げられた１対の幅方向位置決め部１６ｂが形成されている。この幅方向位置決め部１６ｂは、ガイド筒７の開口７ａ内に入り込み、開口７ａの端部に当接するようになっている。このように、１対の幅方向位置決め部１６ｂが開口７ａの幅方向の両端部に当接することにより、この糸導入ガイド４を竿体に装着した場合に幅方向の位置決めが行われる。
【００２６】
このような糸導入ガイド４が装着された中通し竿に釣り糸を通す場合は、リール３から繰り出された釣り糸をワイヤ等からなる糸通し具３０（図２参照）に取り付け、糸通し具３０の先端３０ａをガイド部１５に通した後、糸導入ガイド４の挿入部１６に形成された糸導入部１６ａを介して竿体内部に挿入する。このとき、図２に示すように、元竿１内部にガイド筒７を装着し、このガイド筒７にテーパ面７ｃを設けたので、糸通し具３０の先端３０ａが容易に元竿１内の硬質リング９ａに導かれる。開口１ａから竿内部に挿入された糸通し具３０は、竿内部の内部経路５を通して穂先側に導かれ、穂先竿２のトップガイド６から導出される。この導出された糸通し具３０を外部に取り出すことで、釣り糸Ｌが竿の内部経路５に挿通される。
【００２７】
このような実施形態では、糸導入ガイド４において竿体から突出している部分が非常に少なく、ガイド部１５以外のほとんどは竿体内部に挿入されている。このため、釣り糸が引っかかる部分が少なく、従来のガイドに比較して糸絡みが少なくなる。また、挿入部１６には糸導入部１６ａが前後方向にわたって長く形成されているため、この糸導入部１６ａを通して内部経路の入口部分（硬質リング９ａ）を容易に視認でき、糸通し作業が非常に容易になる。
【００２８】
〔他の実施形態〕
（ａ）図６に示すように、糸導入部１６ａの縁部の一部に、１対の幅方向位置決め部１６ｂとともに、１対の軸方向位置決め部１６ｃを形成してもよい。この軸方向位置決め部１６ｃは、幅方向位置決め部１６ｂと同様に、糸導入部１６ａの縁部の一部を下方に折り曲げて形成したものであり、元竿１の開口１ａ内に入り込み、その先端側（前端側）の元竿１の一部に当接している。これにより、糸導入ガイド４を竿体に装着した場合の前後方向（軸方向）の位置決めを行うことができる。
【００２９】
（ｂ）図７に示すように、糸導入ガイド４に２つの硬質リング１７ａ，１７ｂを設けてもよい。この場合は、一方の硬質リング１７ａは前記同様にガイド部１５に装着されており、他方の硬質リング１７ｂは挿入部１６の後端部においてガイド部１５から竿体に近づくように折り曲げられた部分に装着されている。
【００３０】
（ｃ）挿入部１６の糸導入口１６ａの縁部に硬質リングを装着してもよい。
【００３１】
（ｄ）本発明は、ルアーフィッシング用の並継形式の中通し竿に限定されるものではなく、魚釣り用の全ての中通し竿に適用できる。
【００３２】
（ｅ）糸導入ガイドは、金属板製に限定されるものではなく、合成樹脂等の他の材質でもよい。
【００３３】
【発明の効果】
本発明によれば、糸導入ガイドの一部が竿体内部に挿入されているので、外部への突出部分が比較的少なく、釣り糸の引っかかりを抑えることができる。
【図面の簡単な説明】
【図１】  本発明の実施形態が採用された中通し竿の側面図。
【図２】  前記中通し竿の開口付近の断面拡大図。
【図３】  図４のIII −III 断面図。
【図４】  糸導入ガイドの平面図。
【図５】  糸導入ガイド装着部の斜視図。
【図６】  本発明の他の実施形態の図３に相当する図。
【図７】  本発明のさらに他の実施形態の図５に相当する図。
【符号の説明】
１  元竿
１ａ  開口
３  リール
４  糸導入ガイド
５  内部経路
１０，１１  固定部
１２  連結部
１５  ガイド部
１６  挿入部
１６ａ  糸導入部
１６ｂ  幅方向位置決め部
１６ｃ  軸方向位置決め部
【図１】
0003777238.tif 000002
【図２】
0003777238.tif 000003
【図３】
0003777238.tif 000004
【図４】
0003777238.tif 000005
【図５】
0003777238.tif 000006
【図６】
0003777238.tif 000007
【図７】
0003777238.tif 000008